(57)【要約】【課題】裁断後に残るシート片の再利用の可能性を高めることが可能な画像処理装置、及び裁断領域設定方法を提供すること。【解決手段】画像処理装置は、シートの裁断サイズの入力操作に用いられる入力画面を表示させて（ステップＳ２１）、前記入力操作の受け付け後に（ステップＳ２２のＹｅｓ）、前記シートの領域内における前記入力操作で入力された前記裁断サイズに対応する裁断領域の位置及び向きを設定する設定操作に用いられる設定画面を表示させて（ステップＳ２４）、前記設定画面で受け付けられた前記設定操作に応じて、前記シートの領域内における前記裁断領域の位置及び向きを設定する（ステップＳ２５のＹｅｓ、ステップＳ２６）。【選択図】図５
2018158390.tif 000002
【特許請求の範囲】
【請求項１】
シートの裁断サイズの入力操作を受け付ける受付処理部と、
ユーザー操作に応じて、前記シートの領域内における前記入力操作で入力された前記裁断サイズに対応する裁断領域の位置及び向きを設定する設定処理部と、
を備える画像処理装置。
【請求項２】
前記設定処理部によって前記シートの領域内における位置及び向きが設定された前記裁断領域の境界を示す画像を前記シートに印刷する印刷処理部を備える、
請求項１に記載の画像処理装置。
【請求項３】
前記シートの領域を認識する認識処理部を備え、
前記設定処理部は、前記認識処理部によって認識された前記シートの領域内において前記裁断領域の位置及び向きを設定する、
請求項１又は２に記載の画像処理装置。
【請求項４】
前記シートの画像を読み取る読取処理部を備え、
前記認識処理部は、前記読取処理部によって読み取られた前記シートの画像に基づいて前記シートの領域を認識する、
請求項３に記載の画像処理装置。
【請求項５】
前記認識処理部は、前記設定処理部による前記裁断領域の位置及び向きの設定後に予め定められた特定操作が受け付けられた場合に、前記設定処理部によって前記裁断領域の位置及び向きが設定された前記シートの領域内における前記裁断領域より外側の領域を新たな前記シートの領域として認識する、
請求項４に記載の画像処理装置。
【請求項６】
予め定められた認証操作に応じてユーザーを認証する認証処理部と、
前記設定処理部によって前記裁断領域の位置及び向きが設定される場合に、前記裁断領域の位置及び向きの設定操作の内容を示す操作履歴情報を前記認証処理部によって認証されているユーザーに対応付けて予め定められた記憶部に記憶させる記憶処理部と、を備え、
前記設定処理部は、予め定められた特定条件を充足する場合に、前記操作履歴情報に基づいて前記シートの領域内における前記裁断領域の位置及び向きを設定可能である、
請求項１〜５のいずれかに記載の画像処理装置。
【請求項７】
前記設定処理部は、前記シートが裁断された後に残るシート片において、前記シート片の裁断によって取得可能な予め設定されたサイズの第１シートの数が最大となる前記裁断領域の位置及び向きを設定可能である、
請求項１〜６のいずれかに記載の画像処理装置。
【請求項８】
前記設定処理部は、前記シートが裁断された後に残るシート片において、前記シート片の裁断によって取得可能な第２シートにおけるサイズの種類の数が最大となる前記裁断領域の位置及び向きを設定可能である、
請求項１〜７のいずれかに記載の画像処理装置。
【請求項９】
前記設定処理部は、前記シートの画像を含む設定画面を表示部に表示させて、前記設定画面上で受け付けられたユーザー操作に応じて前記シートの領域内における前記裁断領域の位置及び向きを設定する、
請求項１〜８のいずれかに記載の画像処理装置。
【請求項１０】
前記設定処理部によって前記シートの領域内における位置及び向きが設定された前記裁断領域の境界で前記シートを裁断する裁断処理部を備える、
請求項１〜９のいずれかに記載の画像処理装置。
【請求項１１】
シートの裁断サイズの入力操作を受け付けることと、
ユーザー操作に応じて、前記シートの領域内における前記入力操作で入力された前記裁断サイズに対応する裁断領域の位置及び向きを設定することと、
を含む裁断領域設定方法。
【発明の詳細な説明】
【技術分野】
【０００１】
本発明は、画像処理装置、及び画像処理装置で実行される裁断領域設定方法に関する。
【背景技術】
【０００２】
プリンターのような画像処理装置では、画像が形成されたシートが裁断されることがある（例えば、特許文献１参照）。また、シートを任意の形状に裁断することが可能な裁断装置が知られている（特許文献２参照）。
【先行技術文献】
【特許文献】
【０００３】
【特許文献１】特開平１１−１２９５６２号公報
【特許文献２】特表２００９−５０１６３９号公報
【発明の概要】
【発明が解決しようとする課題】
【０００４】
ところで、シートが任意のサイズに裁断される場合において、そのシートにおける隅部のような予め定められた位置を基準に裁断領域が設定される場合には、裁断後に残るシート片の再利用の可能性が失われることがある。
【０００５】
本発明の目的は、裁断後に残るシート片の再利用の可能性を高めることが可能な画像処理装置、及び裁断領域設定方法を提供することにある。
【課題を解決するための手段】
【０００６】
本発明の一の局面に係る画像処理装置は、受付処理部と、設定処理部とを備える。前記受付処理部は、シートの裁断サイズの入力操作を受け付ける。前記設定処理部は、ユーザー操作に応じて、前記シートの領域内における前記入力操作で入力された前記裁断サイズに対応する裁断領域の位置及び向きを設定する。
【０００７】
本発明の他の局面に係る裁断領域設定方法は、シートの裁断サイズの入力操作を受け付けることと、ユーザー操作に応じて、前記シートの領域内における前記入力操作で入力された前記裁断サイズに対応する裁断領域の位置及び向きを設定することと、を含む。
【発明の効果】
【０００８】
本発明によれば、裁断後に残るシート片の再利用の可能性を高めることが可能な画像処理装置、及び裁断領域設定方法が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置で表示される設定画面の一例を示す図である。
【図４】図４は、本発明の実施形態に係る画像処理装置で実行される裁断領域印刷処理の一例を示すフローチャートである。
【図５】図５は、本発明の実施形態に係る画像処理装置で実行される裁断領域設定処理の一例を示すフローチャートである。
【図６】図６は、本発明の他の実施形態に係る画像処理装置のシステム構成を示すブロック図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１２】
画像処理装置１０は、原稿から画像データを読み取るスキャン機能、及び画像データに基づいて画像を形成するプリント機能と共に、ファクシミリ機能、及びコピー機能などの複数の機能を有する複合機である。なお、本発明は、スキャナー装置、プリンター装置、ファクシミリ装置、コピー機、及びパーソナルコンピューターなどの画像処理装置に適用可能である。
【００１３】
具体的に、図１及び図２に示されるように、画像処理装置１０は、ＡＤＦ（自動原稿搬送装置）１、画像読取部２、画像形成部３、シート搬送部４、制御部５、操作表示部６、及び記憶部７を備える。
【００１４】
ＡＤＦ１は、不図示の原稿セット部、複数の搬送ローラー、原稿押さえ、及び排紙部などを備え、画像読取部２によって読み取られる原稿を搬送する。画像読取部２は、不図示の原稿台、光源、複数のミラー、光学レンズ、及びＣＣＤなどを備え、原稿から画像データを読み取ることが可能である。
【００１５】
画像形成部３は、画像読取部２で読み取られた画像データに基づいて、電子写真方式でカラー又はモノクロの画像を形成することが可能である。また、画像形成部３は、外部のパーソナルコンピューターのような情報処理装置から入力された画像データに基づいて、画像を形成することも可能である。図１に示されるように、画像形成部３は、複数の画像形成ユニット３１〜３４、光走査装置３５、中間転写ベルト３６、二次転写ローラー３７、及び定着装置３８を備える。
【００１６】
画像形成ユニット３１はＹ（イエロー）、画像形成ユニット３２はＣ（シアン）、画像形成ユニット３３はＭ（マゼンタ）、画像形成ユニット３４はＫ（ブラック）に対応する電子写真方式の画像形成ユニットである。画像形成ユニット３１〜３４は、各々感光体ドラム、帯電装置、現像装置、一次転写ローラー、及びクリーニング装置を備える。
【００１７】
光走査装置３５は、画像形成ユニット３１〜３４の各々が備える感光体ドラムに静電潜像を形成する。中間転写ベルト３６は、画像形成ユニット３１〜３４の各々の感光体ドラムから転写されるトナー像を、二次転写ローラー３７との接触位置である転写位置Ｐ１（図１参照）へ搬送する。二次転写ローラー３７は、転写位置Ｐ１で中間転写ベルト３６の表面に転写されたトナー像をシート搬送部４によって搬送されるシートに転写する。定着装置３８は、二次転写ローラー３７によってシートに転写されたトナー像をそのシートに溶融定着させる。
【００１８】
シート搬送部４は、画像形成部３によって画像が形成されるシートを搬送する。図１に示されるように、シート搬送部４は、給紙カセット４１、排紙トレイ４２、第１搬送路４３、レジストローラー４４、手差しトレイ４５、第２搬送路４６、及び撮像部４７を備える。
【００１９】
給紙カセット４１には、画像形成部３によって画像が形成されるシートが収容される。例えば、給紙カセット４１には、紙、コート紙、ハガキ、封筒、及びＯＨＰシートなどのシート材料が収容される。排紙トレイ４２には、画像形成部３によって画像が形成されたシートが排出される。
【００２０】
第１搬送路４３は、給紙カセット４１と排紙トレイ４２との間に設けられるシートの移動通路である。第１搬送路４３には、シートを搬送する複数の搬送ローラーが配置される。第１搬送路４３では、給紙カセット４１から排紙トレイ４２へ向かう搬送方向Ｄ１（図１参照）に沿ってシートが搬送される。また、図１に示されるように、第１搬送路４３には、画像形成部３の二次転写ローラー３７、及び定着装置３８が配置される。
【００２１】
レジストローラー４４は、中間転写ベルト３６による転写位置Ｐ１（図１参照）へのトナー像の搬送タイミングに合わせて、シートを転写位置Ｐ１へ搬送する。図１に示されるように、レジストローラー４４は、第１搬送路４３における二次転写ローラー３７より搬送方向Ｄ１の上流側に配置される。
【００２２】
手差しトレイ４５には、画像形成部３によって画像が形成されるシートが載置される。第２搬送路４６は、手差しトレイ４５と第１搬送路４３におけるレジストローラー４４より搬送方向Ｄ１の上流側との間に設けられるシートの移動通路である。第２搬送路４６には、シートを搬送する複数の搬送ローラーが配置される。第２搬送路４６では、手差しトレイ４５から第１搬送路４３へ向かう搬送方向Ｄ２（図１参照）に沿ってシートが搬送される。
【００２３】
撮像部４７は、第２搬送路４６に設けられ、第２搬送路４６を搬送されるシートを撮像する。撮像部４７は、手差しトレイ４５から排紙トレイ４２へ至るシートの搬送経路上において、レジストローラー４４から手差しトレイ４５側へ離間した位置に配置される。具体的に、撮像部４７は、レジストローラー４４からシート搬送部４によって搬送可能な最大サイズのシート一枚分を超える間隔を隔てて配置される。
【００２４】
例えば、撮像部４７は、発光部及び受光部を有するＣＩＳである。前記発光部は、第２搬送路４６を搬送されるシートに光を照射する。前記受光部は、前記発光部から射出されてシートで反射された光を受光して受光量に応じた電気信号を出力する。前記受光部から出力される電気信号は、不図示のアナログフロントエンド回路で画像情報を示すデジタル信号（画像データ）に変換されて、制御部５に出力される。
【００２５】
画像形成部３では、シート搬送部４から供給されるシートに、以下の手順でカラー画像が形成される。そして、画像形成後のシートが排紙トレイ４２に排出される。
【００２６】
まず、画像形成ユニット３１において、前記帯電装置によって前記感光体ドラムの表面が所定の電位に一様に帯電される。次に、光走査装置３５によって前記感光体ドラムの表面に画像データに基づく光が照射される。これにより、前記感光体ドラムの表面に画像データに対応する静電潜像が形成される。そして、前記感光体ドラム上の静電潜像は前記現像装置によってイエローのトナー像として現像（可視像化）される。なお、前記現像装置には、画像形成部３に着脱可能なトナーコンテナからイエローのトナーが補給される。続いて、前記感光体ドラムに形成されたイエローのトナー像は、前記一次転写ローラーによって、中間転写ベルト３６に転写される。一方、前記感光体ドラムの表面に残存したトナーは、前記クリーニング装置によって除去される。
【００２７】
次に、画像形成ユニット３２〜３４においても、画像形成ユニット３１と同様の処理手順で前記感光体ドラムにトナー像が形成されて、前記感光体ドラム上のトナー像が中間転写ベルト３６に転写される。これにより、中間転写ベルト３６の表面に、イエロー、シアン、マゼンタ、ブラックの各々のトナー像が重ねて転写される。
【００２８】
そして、中間転写ベルト３６に転写されたトナー像は、中間転写ベルト３６によって二次転写ローラー３７による転写位置Ｐ１（図１参照）へ搬送されて、二次転写ローラー３７によってシート搬送部４により搬送されるシートに転写される。その後、トナー像が転写されたシートは、定着装置３８によってトナー像が溶融定着されることで画像が形成されて、排紙トレイ４２に排出される。
【００２９】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。前記ＥＥＰＲＯＭは、不揮発性の記憶装置である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００３０】
操作表示部６は、制御部５からの制御指示に応じて各種の情報を表示する液晶ディスプレーなどの表示部、及びユーザー操作に応じて制御部５に各種の情報を入力する操作キー又はタッチパネルなどの操作部を有する。
【００３１】
記憶部７は、不揮発性の記憶装置である。例えば、記憶部７は、フラッシュメモリー、ＳＳＤ（ソリッドステートドライブ）、又はＨＤＤ（ハードディスクドライブ）などの記憶装置である。記憶部７には、画像読取部２で読み取られた画像データなどが記憶される。また、記憶部７には、ユーザーの認証情報が記憶される。例えば、前記認証情報は、ユーザー名及びパスワードである。なお、記憶部７は、制御部５の前記ＲＡＭ又は前記ＥＥＰＲＯＭであってもよい。
【００３２】
ところで、画像処理装置１０では、シートを任意のサイズに裁断するための裁断位置を示す画像を、手差しトレイ４５に載置されるシートに印刷することが可能である。
【００３３】
ここで、画像処理装置１０において、シートに前記裁断位置を示す画像が印刷される場合において、そのシートにおける隅部のような予め定められた位置を基準にシートの裁断領域が設定される場合には、裁断後に残るシート片の再利用の可能性が失われることがある。
【００３４】
これに対し、本発明の実施形態に係る画像処理装置１０では、以下に説明するように、裁断後に残るシート片の再利用の可能性を高めることが可能である。
【００３５】
具体的に、制御部５の前記ＲＯＭには、制御部５の前記ＣＰＵに後述の裁断領域印刷処理（図４のフローチャート参照）を実行させるための裁断領域印刷プログラムが予め記憶されている。なお、前記裁断領域印刷プログラムは、ＣＤ、ＤＶＤ、フラッシュメモリーなどのコンピューター読み取り可能な記録媒体に記録されており、前記記録媒体から記憶部７などの記憶装置にインストールされてもよい。
【００３６】
そして、制御部５は、図２に示されるように、認証処理部５１、読取処理部５２、認識処理部５３、受付処理部５４、設定処理部５５、記憶処理部５６、及び印刷処理部５７を含む。具体的に、制御部５の前記ＣＰＵは、前記ＲＯＭに記憶された前記裁断領域印刷プログラムを実行する。これにより、制御部５は、認証処理部５１、読取処理部５２、認識処理部５３、受付処理部５４、設定処理部５５、記憶処理部５６、及び印刷処理部５７として機能する。
【００３７】
認証処理部５１は、予め定められた認証操作に応じてユーザーを認証するログイン処理を実行する。
【００３８】
例えば、認証処理部５１は、操作表示部６に前記認証操作に用いられる認証画面を必要に応じて表示させる。そして、認証処理部５１は、前記認証画面においてユーザーによる前記認証操作を受け付ける。例えば、前記認証操作は、ユーザー名及びパスワードなどのログイン情報の入力操作である。その後、認証処理部５１は、操作表示部６から入力された前記ログイン情報が記憶部７に記憶されている前記認証情報に含まれている場合に認証完了と判断し、ユーザーを画像処理装置１０にログインさせる。なお、認証処理部５１は、操作表示部６に対するログアウト操作が行われた場合、予め設定された時間が経過した場合、又は他のユーザーをログインさせる場合に、現在ログイン中のユーザーをログアウトさせるログアウト処理を実行する。
【００３９】
読取処理部５２は、前記裁断位置を示す画像が印刷されるシートの画像を読み取る。
【００４０】
例えば、画像処理装置１０では、前記裁断位置を示す画像が印刷されるシート（以下、「対象シート」と称する）が手差しトレイ４５に載置される。また、読取処理部５２は、撮像部４７を用いて、シート搬送部４によって搬送される前記対象シートの画像を読み取る。
【００４１】
なお、読取処理部５２は、画像読取部２を用いて、前記対象シートの画像を読み取ってもよい。この場合、前記対象シートは、読取処理部５２による画像の読み取り後に、手差しトレイ４５に載置される。また、前記対象シートは、読取処理部５２による画像読取部２を用いた画像の読み取り後に、給紙カセット４１に収容されてもよい。
【００４２】
認識処理部５３は、前記対象シートの領域を認識する。
【００４３】
例えば、認識処理部５３は、読取処理部５２によって読み取られた前記対象シートの画像に基づいて、前記対象シートの領域を認識する。
【００４４】
なお、認識処理部５３は、操作表示部６におけるユーザー操作によって入力される前記対象シートのサイズ情報に基づいて、前記対象シートの領域を認識してもよい。この場合、制御部５に読取処理部５２が含まれていなくてもよい。
【００４５】
また、制御部５に、読取処理部５２及び認識処理部５３が含まれていなくてもよい。例えば、画像処理装置１０において、前記対象シートのサイズは、予め設定されたサイズであってもよい。
【００４６】
受付処理部５４は、前記対象シートの裁断サイズの入力操作を受け付ける。
【００４７】
例えば、受付処理部５４は、認識処理部５３による前記対象シートの領域の認識後に、前記入力操作に用いられる入力画面を操作表示部６に表示させる。例えば、前記入力画面では、前記入力画面上で選択可能に表示される予め定められた複数の定型サイズのいずれかを、前記裁断サイズとして入力することが可能である。また、前記入力画面では、前記裁断サイズの寸法を入力することも可能である。
【００４８】
また、受付処理部５４は、前記入力操作で入力された前記裁断サイズが認識処理部５３によって認識された前記対象シートの領域を超える場合に、その旨を示すメッセージを前記入力画面に表示させると共に、再度の前記入力操作を受け付ける。
【００４９】
設定処理部５５は、ユーザー操作に応じて、前記対象シートの領域内における前記入力操作で入力された前記裁断サイズに対応する裁断領域の位置及び向きを設定する。
【００５０】
具体的に、設定処理部５５は、認識処理部５３によって認識された前記対象シートの領域内において、前記裁断領域の位置及び向きを設定する。
【００５１】
例えば、設定処理部５５は、前記対象シートの画像を含む設定画面を操作表示部６に表示させて、前記設定画面上で受け付けられたユーザー操作に応じて、前記対象シートの領域内における前記裁断領域の位置及び向きを設定する。ここに、操作表示部６が、本発明における表示部の一例である。
【００５２】
ここで、設定処理部５５によって操作表示部６に表示される前記設定画面の一例を図３に示す。図３に示される設定画面Ｇ１０には、メッセージ表示欄Ｇ１１、対象シート表示欄Ｇ１２、及び操作キーＧ１３〜Ｇ１４が含まれる。
【００５３】
メッセージ表示欄Ｇ１１には、ユーザーへのメッセージが表示される。対象シート表示欄Ｇ１２には、読取処理部５２によって読み取られた前記対象シートの画像である対象シート画像Ｇ１２１が表示されると共に、前記裁断領域の境界を示す枠画像Ｇ１２２が表示される。なお、図３では、枠画像Ｇ１２２が破線によって示されている。操作キーＧ１３〜Ｇ１４は、設定画面Ｇ１０における設定内容の確定及び取り消しの操作に用いられる。
【００５４】
ユーザーは、設定画面Ｇ１０において、操作表示部６に対するスワイプ操作などの予め定められた移動操作を行うことで、枠画像Ｇ１２２を対象シート画像Ｇ１２１の領域内における任意の位置に移動させることが可能である。また、ユーザーは、設定画面Ｇ１０において、予め定められた回転操作を行うことで、対象シート画像Ｇ１２１の領域内において枠画像Ｇ１２２が任意の方向に向くように枠画像Ｇ１２２を回転させることが可能である。設定画面Ｇ１０において、操作キーＧ１３が操作されると、操作キーＧ１３の操作時における対象シート表示欄Ｇ１２の表示内容に基づいて、前記対象シートの領域内における前記裁断領域の位置及び向きが設定される。
【００５５】
ここで、設定処理部５５は、前記対象シートが裁断された後に残るシート片において、前記シート片の裁断によって取得可能な予め設定されたサイズの第１シートの数が最大となる前記裁断領域の位置及び向きを自動で設定可能である。
【００５６】
例えば、画像処理装置１０では、操作表示部６におけるユーザー操作に応じて、設定処理部５５による前記裁断領域の位置及び向きの自動設定機能の有効無効を切り替え可能である。設定処理部５５は、前記自動設定機能が無効に設定されている場合には、設定画面Ｇ１０を表示させて前記裁断領域の位置及び向きの設定操作を受け付ける。一方、設定処理部５５は、前記自動設定機能が有効に設定されている場合には、後述する操作履歴情報に基づく前記裁断領域の位置及び向きの自動設定処理が行われる場合を除いて、設定画面Ｇ１０の表示に替えて、前記シート片において前記シート片の裁断によって取得可能な前記第１シートの数が最大となる前記裁断領域の位置及び向きを自動で設定する。
【００５７】
なお、設定処理部５５は、前記シート片において、前記シート片の裁断によって取得可能な第２シートにおけるサイズの種類の数が最大となる前記裁断領域の位置及び向きを自動で設定可能であってもよい。ここで、前記第２シートは、サイズが予め定められた複数のサイズのいずれかに該当するシートである。
【００５８】
また、設定処理部５５は、前記自動設定機能が有効に設定されている場合に、操作表示部６におけるユーザー操作に応じて、前記シート片の裁断によって取得可能な前記第１シートの数が最大となる前記裁断領域の位置及び向きを自動で設定するか、又は前記シート片の裁断によって取得可能な前記第２シートにおけるサイズの種類の数が最大となる前記裁断領域の位置及び向きを自動で設定するかを切り替えてもよい。
【００５９】
記憶処理部５６は、設定処理部５５によって前記裁断領域の位置及び向きが設定される場合に、前記裁断領域の位置及び向きの前記設定操作の内容を示す操作履歴情報を、認証処理部５１によって認証されているユーザーに対応付けて予め定められた記憶部に記憶させる。
【００６０】
例えば、前記操作履歴情報は、前記対象シートの領域を示す情報、前記対象シートにおける前記裁断領域の位置を示す情報、及び前記対象シートにおける前記裁断領域の向きを示す情報を含む。
【００６１】
例えば、記憶処理部５６は、設定処理部５５によって前記裁断領域の位置及び向きが設定される場合において、認証処理部５１によって認証されているユーザーが存在する場合に、認証されているユーザーと前記操作履歴情報とを対応付けて記憶部７（予め定められた記憶部の一例）に記憶させる。
【００６２】
ここで、設定処理部５５は、予め定められた特定条件を充足する場合に、前記操作履歴情報に基づいて前記対象シートの領域内における前記裁断領域の位置及び向きを自動で設定可能である。
【００６３】
例えば、設定処理部５５は、前記自動設定機能が有効に設定されている場合であって、認証処理部５１によって認証されているユーザーが存在する場合に、認証されているユーザーに対応する前記操作履歴情報が記憶部７に記憶されているか否かを判断する。また、設定処理部５５は、認証されているユーザーに対応する前記操作履歴情報が記憶部７に記憶されていると判断した場合に、前記特定条件の充足の有無を判断する。そして、設定処理部５５は、前記特定条件を充足すると判断した場合に、認証されているユーザーに対応する前記操作履歴情報に基づいて、前記対象シートの領域内における前記裁断領域の位置及び向きを設定する。
【００６４】
例えば、前記特定条件は、記憶部７に記憶されているログイン中のユーザーに対応する前記操作履歴情報のうち、記憶部７への記憶日時が新しい順で選択される予め定められた数の前記操作履歴情報の内容が同一であること、である。例えば、設定処理部５５は、前記特定条件を充足する場合に、記憶部７に記憶されているログイン中のユーザーに対応する前記操作履歴情報のうち、記憶部７への記憶日時が最新の前記操作履歴情報に基づいて、前記対象シートの領域内における前記裁断領域の位置及び向きを設定する。
【００６５】
なお、前記特定条件は、記憶部７に記憶されているログイン中のユーザーに対応する前記操作履歴情報の中に、同一の内容の前記操作履歴情報が予め定められた数を超えて存在すること、であってもよい。また、前記特定条件は、以上に説明した条件とは異なる条件であってもよい。
【００６６】
一方、設定処理部５５は、前記自動設定機能が有効に設定されている場合であって、前記操作履歴情報に基づいて前記対象シートの領域内における前記裁断領域の位置及び向きが設定されない場合は、前記シート片において前記シート片の裁断によって取得可能な前記第１シートの数が最大となる前記裁断領域の位置及び向きを設定する。
【００６７】
なお、設定処理部５５は、前記自動設定機能が無効に設定されている場合であって、認証処理部５１によって認証されているユーザーが存在する場合に、認証されているユーザーに対応する前記操作履歴情報に基づいて設定画面Ｇ１０における枠画像Ｇ１２２の初期配置位置を設定してもよい。例えば、設定処理部５５は、記憶部７に記憶されている前記対象シートの領域が認識処理部５３によって認識された前記対象シートの領域と同一である前記操作履歴情報のうち、記憶部７への記憶日時が最新の前記操作履歴情報に基づいて、設定画面Ｇ１０における枠画像Ｇ１２２の初期配置位置を設定してもよい。
【００６８】
また、設定処理部５５は、以上に説明した前記自動設定機能の一部又は全部を有していなくてもよい。また、制御部５は、認証処理部５１及び記憶処理部５６を含んでいなくてもよい。
【００６９】
印刷処理部５７は、設定処理部５５によって前記対象シートの領域内における位置及び向きが設定された前記裁断領域の境界を示す画像を前記対象シートに印刷する。例えば、前記裁断領域の境界を示す画像は、点線又は破線のような線状の画像である。
【００７０】
なお、印刷処理部５７は、設定処理部５５によって、前記シート片の裁断によって取得可能な前記第１シートの数が最大となる前記裁断領域の位置及び向きが自動で設定される場合に、前記対象シートの領域内における前記裁断領域よりも外側の領域に、前記シート片の裁断によって取得可能な前記第１シートの数が最大となる裁断位置を示す画像を印刷してもよい。
【００７１】
ここで、認識処理部５３は、設定処理部５５による前記裁断領域の位置及び向きの設定後に予め定められた特定操作が受け付けられた場合に、設定処理部５５によって前記裁断領域の位置及び向きが設定された前記対象シートの領域内における、前記裁断領域より外側の領域を新たな前記対象シートの領域として認識する。この場合、画像処理装置１０では、認識処理部５３によって新たな前記対象シートの領域として認識された前記裁断領域より外側の領域に対して、新たな前記裁断領域が設定される。
【００７２】
［裁断領域印刷処理］
以下、図４を参照しつつ、画像処理装置１０において制御部５により実行される裁断領域印刷処理の手順の一例について説明する。ここで、ステップＳ１１、Ｓ１２・・・は、制御部５により実行される処理手順（ステップ）の番号を表している。なお、前記裁断領域印刷処理は、前記裁断領域印刷処理の実行を指示する旨の操作入力が操作表示部６において行われた場合に実行される。
【００７３】
＜ステップＳ１１＞
まず、ステップＳ１１において、制御部５は、手差しトレイ４５への前記対象シートの載置を促す旨のメッセージを含む第１案内画面を操作表示部６に表示させる。
【００７４】
＜ステップＳ１２＞
ステップＳ１２において、制御部５は、ステップＳ１１で表示された前記第１案内画面上で予め定められた実行操作が行われたか否かを判断する。例えば、前記実行操作は、操作表示部６における予め定められたハードキーの操作、又は前記第１案内画面に表示される予め定められた操作キーへの操作である。
【００７５】
ここで、制御部５は、前記第１案内画面上で前記実行操作が行われたと判断すると（Ｓ１２のＹｅｓ側）、処理をステップＳ１３に移行させる。また、前記第１案内画面上で前記実行操作が行われていなければ（Ｓ１２のＮｏ側）、制御部５は、ステップＳ１２で前記実行操作が行われるのを待ち受ける。
【００７６】
＜ステップＳ１３＞
ステップＳ１３において、制御部５は、前記対象シートの画像を読み取る画像読取処理を実行する。ここで、ステップＳ１３の処理は、制御部５の読取処理部５２によって実行される。
【００７７】
具体的に、制御部５は、シート搬送部４を用いて、手差しトレイ４５に載置された前記対象シートをレジストローラー４４まで搬送する。また、制御部５は、撮像部４７を用いて、シート搬送部４によって搬送される前記対象シートの画像を読み取る。なお、制御部５は、第１搬送路４３におけるレジストローラー４４の配置位置で、前記対象シートの搬送を一時停止させる。
【００７８】
＜ステップＳ１４＞
ステップＳ１４において、制御部５は、前記対象シートの領域を認識する。ここで、ステップＳ１４の処理は、制御部５の認識処理部５３によって実行される。これにより、任意のサイズのシートに前記裁断領域を設定することが可能である。
【００７９】
具体的に、制御部５は、前記画像読取処理によって読み取られた前記対象シートの画像に基づいて、前記対象シートの領域を認識する。これにより、矩形状とは異なる形状のシートに前記裁断領域を設定することが可能であると共に、前記対象シートのサイズを入力するユーザーの操作の手間を省くことが可能である。
【００８０】
＜ステップＳ１５＞
ステップＳ１５において、制御部５は、以下に述べる裁断領域設定処理を実行する。
【００８１】
［裁断領域設定処理］
ここで、図５を参照しつつ、前記裁断領域印刷処理のステップＳ１５で実行される裁断領域設定処理の手順の一例について説明する。なお、前記裁断領域印刷処理のステップＳ１６以降の処理の説明は、前記裁断領域設定処理の説明の終了後に行う。
【００８２】
＜ステップＳ２１＞
まず、ステップＳ２１において、制御部５は、前記裁断サイズの前記入力操作に用いられる前記入力画面を操作表示部６に表示させる。ここで、ステップＳ２１の処理は、制御部５の受付処理部５４によって実行される。
【００８３】
＜ステップＳ２２＞
ステップＳ２２において、制御部５は、ステップＳ２１で表示された前記入力画面において前記入力操作が行われたか否かを判断する。
【００８４】
ここで、制御部５は、前記入力操作が行われたと判断すると（Ｓ２２のＹｅｓ側）、処理をステップＳ２３に移行させる。また、前記入力操作が行われていなければ（Ｓ２２のＮｏ側）、制御部５は、ステップＳ２２で前記入力操作が行われるのを待ち受ける。
【００８５】
＜ステップＳ２３＞
ステップＳ２３において、制御部５は、前記自動設定機能が有効に設定されているか否かを判断する。
【００８６】
ここで、制御部５は、前記自動設定機能が有効に設定されていると判断すると（Ｓ２３のＹｅｓ側）、処理をステップＳ２３１に移行させる。また、前記自動設定機能が有効に設定されていなければ（Ｓ２３のＮｏ側）、制御部５は、処理をステップＳ２４に移行させる。
【００８７】
＜ステップＳ２３１＞
ステップＳ２３１において、制御部５は、ユーザーが画像処理装置１０にログインしているか否かを判断する。
【００８８】
ここで、制御部５は、ユーザーが画像処理装置１０にログインしていると判断すると（Ｓ２３１のＹｅｓ側）、処理をステップＳ２３２に移行させる。また、ユーザーが画像処理装置１０にログインしていなければ（Ｓ２３１のＮｏ側）、制御部５は、処理をステップＳ２３５に移行させる。
【００８９】
＜ステップＳ２３２＞
ステップＳ２３２において、制御部５は、ログインしているユーザーに対応する前記操作履歴情報が記憶部７に記憶されているか否かを判断する。
【００９０】
ここで、制御部５は、ログインしているユーザーに対応する前記操作履歴情報が記憶部７に記憶されていると判断すると（Ｓ２３２のＹｅｓ側）、処理をステップＳ２３３に移行させる。また、ログインしているユーザーに対応する前記操作履歴情報が記憶部７に記憶されていなければ（Ｓ２３２のＮｏ側）、制御部５は、処理をステップＳ２３５に移行させる。
【００９１】
＜ステップＳ２３３＞
ステップＳ２３３において、制御部５は、前記特定条件の充足の有無を判断する。
【００９２】
例えば、制御部５は、記憶部７に記憶されているログイン中のユーザーに対応する前記操作履歴情報のうち、記憶部７への記憶日時が新しい順で選択される予め定められた数の前記操作履歴情報の内容が同一である場合に、前記特定条件を充足すると判断する。
【００９３】
ここで、制御部５は、前記特定条件を充足すると判断すると（Ｓ２３３のＹｅｓ側）、処理をステップＳ２３４に移行させる。また、前記特定条件を充足していなければ（Ｓ２３３のＮｏ側）、制御部５は、処理をステップＳ２３５に移行させる。
【００９４】
＜ステップＳ２３４＞
ステップＳ２３４において、制御部５は、ログインしているユーザーに対応する前記操作履歴情報に基づいて、前記対象シートの領域内における前記裁断領域の位置及び向きを設定する。
【００９５】
例えば、制御部５は、記憶部７に記憶されているログイン中のユーザーに対応する前記操作履歴情報のうち、記憶部７への記憶日時が最新の前記操作履歴情報に基づいて、前記対象シートの領域内における前記裁断領域の位置及び向きを設定する。これにより、ユーザーにとって望ましいと推測される前記裁断領域を自動で設定することが可能である。
【００９６】
＜ステップＳ２３５＞
ステップＳ２３５において、制御部５は、前記対象シートが裁断された後に残る前記シート片において、前記シート片の裁断によって取得可能な前記第１シートの数が最大となる前記裁断領域の位置及び向きを設定する。これにより、前記対象シートが裁断された後に残る前記シート片の再利用の可能性を向上させることが可能な前記裁断領域を自動で設定することが可能である。
【００９７】
なお、ステップＳ２３５において、制御部５は、前記対象シートが裁断された後に残る前記シート片において、前記シート片の裁断によって取得可能な前記第２シートにおけるサイズの種類の数が最大となる前記裁断領域の位置及び向きを設定してもよい。
【００９８】
＜ステップＳ２４＞
一方、ステップＳ２３で前記自動設定機能が有効に設定されていないと判断された場合、制御部５はステップＳ２４の処理を実行する。ステップＳ２４において、制御部５は、前記画像読取処理によって読み取られた前記対象シートの画像を含む設定画面Ｇ１０（図３参照）を操作表示部６に表示させる。
【００９９】
＜ステップＳ２５＞
ステップＳ２５において、制御部５は、ステップＳ２４で表示された設定画面Ｇ１０において前記設定操作が行われたか否かを判断する。例えば、制御部５は、設定画面Ｇ１０に表示される操作キーＧ１３が操作された場合に、前記設定操作が行われたと判断する。
【０１００】
ここで、制御部５は、設定画面Ｇ１０において前記設定操作が行われたと判断すると（Ｓ２５のＹｅｓ側）、処理をステップＳ２６に移行させる。また、設定画面Ｇ１０において前記設定操作が行われていなければ（Ｓ２５のＮｏ側）、制御部５は、ステップＳ２５で前記設定操作が行われるのを待ち受ける。
【０１０１】
＜ステップＳ２６＞
ステップＳ２６において、制御部５は、前記設定操作に応じて前記対象シートの領域内における前記裁断領域の位置及び向きを設定する。ここで、ステップＳ２３〜ステップＳ２６、ステップＳ２３１〜ステップＳ２３５の処理は、制御部５の設定処理部５５により実行される。
【０１０２】
例えば、制御部５は、操作キーＧ１３の操作時における対象シート表示欄Ｇ１２の表示内容に基づいて、前記対象シートの領域内における前記裁断領域の位置及び向きを設定する。
【０１０３】
＜ステップＳ２７＞
ステップＳ２７において、制御部５は、ユーザーが画像処理装置１０にログインしているか否かを判断する。
【０１０４】
ここで、制御部５は、ユーザーが画像処理装置１０にログインしていると判断すると（Ｓ２７のＹｅｓ側）、処理をステップＳ２８に移行させる。また、ユーザーが画像処理装置１０にログインしていなければ（Ｓ２７のＮｏ側）、制御部５は、前記裁断領域設定処理を終了させる。
【０１０５】
＜ステップＳ２８＞
ステップＳ２８において、制御部５は、前記設定操作の内容を示す前記操作履歴情報を、ログイン中のユーザーに対応付けて記憶部７に記憶させる。ここで、ステップＳ２８の処理は、制御部５の記憶処理部５６によって実行される。
【０１０６】
以上で、前記裁断領域設定処理の説明を終了して、前記裁断領域印刷処理のステップＳ１６以降の処理の説明を再開する。
【０１０７】
＜ステップＳ１６＞
ステップＳ１６において、制御部５は、前記裁断領域設定処理によって前記対象シートの領域内における位置及び向きが設定された前記裁断領域の境界を示す画像を前記対象シートに印刷する。ここで、ステップＳ１６の処理は、制御部５の印刷処理部５７によって実行される。
【０１０８】
例えば、制御部５は、ステップＳ１３でレジストローラー４４まで搬送された前記対象シートの搬送を再開させると共に、画像形成部３を用いて前記対象シートに前記裁断領域の境界を示す画像を印刷する。
【０１０９】
＜ステップＳ１７＞
ステップＳ１７において、制御部５は、前記裁断領域設定処理で前記裁断領域の位置及び向きが設定された前記対象シートの領域内における前記裁断領域より外側の領域に対して、続けて前記裁断領域を設定可能である旨を通知するメッセージを含む第２案内画面を操作表示部６に表示させる。
【０１１０】
＜ステップＳ１８＞
ステップＳ１８において、制御部５は、ステップＳ１７で表示された前記第２案内画面上で前記特定操作が行われたか否かを判断する。例えば、前記特定操作は、操作表示部６における予め定められたハードキーの操作、又は前記第２案内画面に表示される予め定められた操作キーへの操作である。
【０１１１】
ここで、制御部５は、前記第２案内画面上で前記特定操作が行われたと判断すると（Ｓ１８のＹｅｓ側）、処理をステップＳ１９に移行させる。また、前記第２案内画面上で前記特定操作が行われていなければ（Ｓ１８のＮｏ側）、制御部５は、前記裁断領域印刷処理を終了させる。
【０１１２】
＜ステップＳ１９＞
ステップＳ１９において、制御部５は、前記裁断領域設定処理で前記裁断領域の位置及び向きが設定された前記対象シートの領域内における前記裁断領域より外側の領域を、新たな前記対象シートの領域として認識する。ここで、ステップＳ１９の処理は、認識処理部５３によって実行される。これにより、前記対象シートが裁断された後に残る前記シート片に対して続けて前記裁断領域が設定される場合に、前記シート片に対する前記画像読取処理を省略することが可能である。
【０１１３】
このように、画像処理装置１０では、ユーザー操作に応じて、前記対象シートの領域内における前記裁断サイズに対応する前記裁断領域の位置及び向きが設定される。そのため、前記対象シートにおける隅部のような予め定められた位置を基準に前記裁断領域が設定される構成と比較して、裁断後に残る前記シート片の再利用の可能性を高めることが可能である。
【０１１４】
［他の実施形態］
以下、図６を参照しつつ、本発明の他の実施形態に係る画像処理装置１０について説明する。図６に示されるように、他の実施形態に係る画像処理装置１０では、裁断機構８を備える点、及び印刷処理部５７に替えて裁断処理部５８を備える点が、これまでに述べた画像処理装置１０と異なる。なお、その他の構成は、他の実施形態に係る画像処理装置１０とこれまでに述べた画像形成装置１０とで共通である。
【０１１５】
具体的に、裁断機構８は、画像処理装置１０に着脱可能に設けられるオプションユニットである。裁断機構８は、シート搬送部４によって搬送されるシートを裁断することが可能である。例えば、裁断機構８は、排紙トレイ４２において第１搬送路４３に接続して設けられる。例えば、裁断機構８は、第１搬送路４３に接続される搬送路、前記搬送路に配置される搬送ローラー、前記搬送ローラーによって搬送される前記対象シートを裁断可能な裁断ユニット、及び前記裁断ユニットによる裁断後の前記対象シートが排出される排出部を備える。例えば、前記裁断ユニットは、前記搬送路において前記対象シートの搬送方向に直交する幅方向に移動可能に設けられる。
【０１１６】
また、裁断処理部５８は、設定処理部５５によって前記対象シートの領域内における位置及び向きが設定された前記裁断領域の境界で、前記対象シートを裁断する。具体的に、裁断処理部５８は、裁断機構８を用いて、前記対象シートを裁断する。
【０１１７】
なお、裁断機構８は、画像処理装置１０の外部において画像処理装置１０と通信可能に接続された裁断装置であってもよい。また、画像処理装置１０において、制御部５が印刷処理部５７及び裁断処理部５８の両方を備えていてもよい。この場合、制御部５は、ユーザー操作に応じて、前記裁断領域の境界を示す画像を前記対象シートに印刷、又は前記対象シートを裁断することが考えられる。
【符号の説明】
【０１１８】
１    ＡＤＦ
２    画像読取部
３    画像形成部
４    シート搬送部
５    制御部
６    操作表示部
７    記憶部
８    裁断機構
１０  画像処理装置
３１〜３４  画像形成ユニット
３５  光走査装置
３６  中間転写ベルト
３７  二次転写ローラー
３８  定着装置
４１  給紙カセット
４２  排紙トレイ
４３  第１搬送路
４４  レジストローラー
４５  手差しトレイ
４６  第２搬送路
４７  撮像部
５１  認証処理部
５２  読取処理部
５３  認識処理部
５４  受付処理部
５５  設定処理部
５６  記憶処理部
５７  印刷処理部
５８  裁断処理部
【図１】
2018158390.tif 000003
【図２】
2018158390.tif 000004
【図３】
2018158390.tif 000005
【図４】
2018158390.tif 000006
【図５】
2018158390.tif 000007
【図６】
2018158390.tif 000008